(57)【要約】  割り当て制御信号とデータチャネルとの衝突を回避しつつ、端末向け制御チャネル領域のリソース量を増加させることができる送信装置、受信装置、送信方法、及び受信方法を提供する。基地局１００において送信制御部１０２が、使用レイヤ数が１であり、且つ、使用アンテナポートと割り当て制御信号の送信に用いられるアンテナポートとが同じ場合、第１のデータリソース領域を、リソースブロックグループ（RBG）における、制御チャネル及びデータチャネルのいずれにも使用可能な第１のリソース領域内に設定する。また、送信制御部１０２は、使用レイヤ数が１であり、且つ、使用アンテナポートと割り当て制御信号の送信に用いられるアンテナポートとが異なる場合、第２のデータリソース領域を、RBGにおける第１のリソース領域内に設定する。第２のデータリソース領域は、第１のデータリソース領域よりも大きい。
2012147295.tif 000002
【特許請求の範囲】
【請求項１】
受信装置に対する制御信号を、制御チャネル及びデータチャネルのいずれにも使用可能な第１のリソース領域又は制御チャネルに使用可能な第２のリソース領域にマッピングして送信し、送信データをデータリソース領域にマッピングして前記受信装置へ送信する送信装置であって、
前記データリソース領域のための割り当て制御信号を生成する生成手段と、
前記送信データの送信に用いられるストリームの数が１であり、且つ、前記送信データの送信に用いられるアンテナポートと前記割り当て制御信号の送信に用いられるアンテナポートとが同じ場合、Ｍ（Ｍは２以上の自然数）個のリソースブロック（ＲＢ）から構成されるリソースブロックグループ（ＲＢＧ）における前記第１のリソース領域内に第１のデータリソース領域を設定し、
前記送信データの送信に用いられるストリームの数が１であり、且つ、前記送信データの送信に用いられるアンテナポートと前記割り当て制御信号の送信に用いられるアンテナポートとが異なる場合、前記ＲＢＧにおける前記第１のリソース領域内に前記第１のデータリソース領域よりも大きい第２のデータリソース領域を設定する設定手段と、
前記設定されたデータリソース領域に前記送信データをマッピングし、制御リソース領域に前記割り当て制御信号をマッピングするマッピング手段と、
を具備する送信装置。
【請求項２】
前記第２のデータリソース領域は、前記ＲＢＧにおける前記第１のリソース領域の全体である、
請求項１に記載の送信装置。
【請求項３】
前記設定手段は、前記ストリームの数が２以上である場合、前記ＲＢＧにおける前記第１のリソース領域の全体に、前記データリソース領域を前記制御リソース領域と重ねて設定し、
前記マッピング手段は、前記ストリームの数が２以上である場合、前記割り当て制御信号の送信に用いられるアンテナポートと同じアンテナポートから送信されるストリームを構成する前記送信データであって、前記データリソース領域において前記制御リソース領域と重なる部分に対応する前記送信データを、パンクチャリングした後に前記データリソース領域において前記制御リソース領域と重ならない部分にマッピングする、
請求項１に記載の送信装置。
【請求項４】
前記ＲＢＧにおける前記第２のリソース領域を除く領域は、前記制御リソース領域として設定される第１領域と、前記第１領域を含むＲＢにおける前記第１領域を除く第２領域と、前記第１領域及び第２領域を含むＲＢ以外のＲＢから構成される第３領域とを含み、
前記第１のデータリソース領域は、前記第３領域によって構成され、
前記第２のデータリソース領域は、前記第２領域及び前記第３領域によって構成される、
請求項１に記載の送信装置。
【請求項５】
前記設定手段は、前記第２のデータリソース領域の大きさを切り替える、
請求項１に記載の送信装置。
【請求項６】
制御チャネル及びデータチャネルのいずれにも使用可能な第１のリソース領域又は制御チャネルに使用可能な第２のリソース領域において送信装置から送信された制御信号を含む受信信号を受信し、データリソース領域にマッピングされて前記送信装置から送信された送信データを受信する受信装置であって、
前記受信信号に含まれる、前記データリソース領域のための割り当て制御信号を検出する検出手段と、
前記送信データの送信に用いられたストリームの数が１であり、且つ、前記送信データの送信に用いられたアンテナポートと前記割り当て制御信号の送信に用いられたアンテナポートとが同じ場合、Ｍ（Ｍは２以上の自然数）個のリソースブロック（ＲＢ）から構成されるリソースブロックグループ（ＲＢＧ）における前記第１のリソース領域内の第１のデータリソース領域をデータ成分抽出対象領域として特定し、
前記送信データの送信に用いられたストリームの数が１であり、且つ、前記送信データの送信に用いられたアンテナポートと前記割り当て制御信号の送信に用いられたアンテナポートとが異なる場合、前記第１のデータリソース領域よりも大きい、前記ＲＢＧにおける前記第１のリソース領域内の第２のデータリソース領域を前記データ成分抽出対象領域として特定する特定手段と、
前記特定されたデータ成分抽出対象領域内の信号成分を前記受信信号から抽出する抽出手段と、
を具備する受信装置。
【請求項７】
前記第２のデータリソース領域は、前記ＲＢＧにおける前記第１のリソース領域の全体である、
請求項６に記載の受信装置。
【請求項８】
前記ＲＢＧにおける前記第２のリソース領域を除く領域は、前記制御リソース領域として設定される第１領域と、前記第１領域を含むＲＢにおける前記第１領域を除く第２領域と、前記第１領域及び第２領域を含むＲＢ以外のＲＢから構成される第３領域とを含み、
前記第１のデータリソース領域は、前記第３領域によって構成され、
前記第２のデータリソース領域は、前記第２領域及び前記第３領域によって構成される、
請求項６に記載の受信装置。
【請求項９】
前記特定手段は、前記送信装置から送信された切り替え指示ビットに応じて、前記第２のデータリソース領域の大きさを切り替える、
請求項６に記載の受信装置。
【請求項１０】
受信装置に対する制御信号を、制御チャネル及びデータチャネルのいずれにも使用可能な第１のリソース領域又は制御チャネルに使用可能な第２のリソース領域にマッピングして送信し、送信データをデータリソース領域にマッピングして前記受信装置へ送信する送信方法であって、
前記データリソース領域のための割り当て制御信号を生成し、
前記送信データの送信に用いられるストリームの数が１であり、且つ、前記送信データの送信に用いられるアンテナポートと前記割り当て制御信号の送信に用いられるアンテナポートとが同じ場合、Ｍ（Ｍは２以上の自然数）個のリソースブロック（ＲＢ）から構成されるリソースブロックグループ（ＲＢＧ）における前記第１のリソース領域内に第１のデータリソース領域を設定し、
前記送信データの送信に用いられるストリームの数が１であり、且つ、前記送信データの送信に用いられるアンテナポートと前記割り当て制御信号の送信に用いられるアンテナポートとが異なる場合、前記ＲＢＧにおける前記第１のリソース領域内に前記第１のデータリソース領域よりも大きい第２のデータリソース領域を設定し、
前記設定されたデータリソース領域に前記送信データをマッピングし、制御リソース領域に前記割り当て制御信号をマッピングする、
送信方法。
【請求項１１】
制御チャネル及びデータチャネルのいずれにも使用可能な第１のリソース領域又は制御チャネルに使用可能な第２のリソース領域において送信装置から送信された制御信号を含む受信信号を受信し、データリソース領域にマッピングされて前記送信装置から送信された送信データを受信する受信方法であって、
前記受信信号に含まれる、前記データリソース領域のための割り当て制御信号を検出し、
前記送信データの送信に用いられたストリームの数が１であり、且つ、前記送信データの送信に用いられたアンテナポートと前記割り当て制御信号の送信に用いられたアンテナポートとが同じ場合、Ｍ（Ｍは２以上の自然数）個のリソースブロック（ＲＢ）から構成されるリソースブロックグループ（ＲＢＧ）における前記第１のリソース領域内の第１のデータリソース領域をデータ成分抽出対象領域として特定し、
前記送信データの送信に用いられたストリームの数が１であり、且つ、前記送信データの送信に用いられたアンテナポートと前記割り当て制御信号の送信に用いられたアンテナポートとが異なる場合、前記第１のデータリソース領域よりも大きい、前記ＲＢＧにおける前記第１のリソース領域内の第２のデータリソース領域を前記データ成分抽出対象領域として特定し、
前記特定されたデータ成分抽出対象領域内の信号成分を前記受信信号から抽出する、
受信方法。
【発明の詳細な説明】
【技術分野】
【０００１】
本発明は、送信装置、受信装置、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。大容量データの伝送を実現するために、高周波の無線帯域を利用して高伝送レートを実現する技術に関する検討が盛んに行われている。【０００３】
しかし、高周波の無線帯域を利用する場合には、近距離では高伝送レートの通信が期待できる一方、遠距離になるに従って伝送距離による減衰が大きくなる。よって、高周波の無線帯域を利用した移動体通信システムを実際に運用する場合には、無線通信基地局装置（以下、「基地局」と省略する）のカバーエリアが小さくなるため、より多くの基地局を設置する必要がある。基地局の設置には相応のコストがかかる。従って、基地局数の増加を抑制しつつ、高周波の無線帯域を利用した通信サービスを実現するための技術が強く求められている。【０００４】
このような要求に対して、各基地局のカバーエリアを拡大させるために、基地局と無線通信移動局装置（以下、「移動局」と省略する）との間に、無線通信中継局装置（以下、「中継局」と省略する）を設置し、基地局と移動局との間の通信を中継局を介して行う、中継技術が検討されている。中継（Relay）技術を用いると、基地局と直接通信できない移動局も、中継局を介して通信することができる。【０００５】
上記した中継技術の導入が検討されているLTE-A（Long Term Evolution Advanced）システムに対しては、LTE（Long Term Evolution）からのスムーズな移行及びLTEとの共存の観点から、LTEとの互換性を維持することが要求されている。そのため、Relay技術に関しても、LTEとの相互互換性が求められている。【０００６】
図１には、LTEシステム及びLTE-Aシステムにおいて、制御信号及びデータを割り当てたフレームの一例が示されている。【０００７】
LTEシステムでは、基地局から移動局へ送信される下り回線（DL:DownLink）制御信号は、例えばPDCCH（Physical Downlink Control CHannel）等の下り回線制御チャネルによって送信される。LTEでは、DLのデータ割り当てを指示するDL grant、及び、上り回線（UL:UpLink）のデータ割り当てを指示するUL grantが、PDCCHによって送信される。DL grantによって、このDL grantが送信されたサブフレーム内のリソースが移動局に対して割り当てられたことが通知される。一方、UL grantに関しては、FDDシステムでは、UL grantによって、このUL grantが送信されたサブフレームより４サブフレーム後の対象サブフレーム内のリソースが、移動局に対して割り当てられたことが通知される。また、TDDシステムでは、UL grantによって、このUL grantが送信されたサブフレームより４サブフレーム以上後の対象サブフレーム内のリソースが、移動局に対して割り当てられたことが通知される。TDDシステムでは、移動局に対する割当対象サブフレームとして、UL grantが送信されたサブフレームのいくつ後のサブフレームが割り当てられるかは、上り回線及び下り回線が時分割されるパターン（以下、「UL/DLコンフィグレーションパターン」）に応じて定められる。ただし、どのUL/DLコンフィグレーションパターンにおいても、ULサブフレームは、UL grantが送信されたサブフレームの４サブフレーム以上後のサブフレームである。【０００８】
LTE-Aシステムでは、基地局だけでなく中継局も移動局へサブフレームの先頭部分のPDCCH領域で制御信号を送信する。中継局に着目すると、移動局へ下り回線制御信号を送信しなければならないので、中継局は、制御信号を移動局へ送信した後に受信処理へ切り替えることにより、基地局から送信された信号の受信に備える。しかしながら、中継局が下り回線制御信号を移動局へ送信しているタイミングで基地局も中継局用の下り回線制御信号を送信しているので、中継局は、基地局から送信された下り回線制御信号を受信することができない。このような不都合を回避するために、LTE-Aでは、データ領域に、中継局用の下り回線制御信号を配置する領域（中継局向けR-PDCCH（Relay用PDCCH）領域）を設けることが検討されている。このR-PDCCHにも、PDCCHと同様に、DL grant及びUL grantが配置されることが検討されている。さらに、R-PDCCHでは、図１に示されるように、DL grantを1st slotに配置し、UL grantを2nd slotに配置することが検討されている（非特許文献１参照）。DL grantを1st slotのみに配置することで、DL grantの復号遅延が短くなり、中継局はDLデータに対するＡＣＫ／ＮＡＣＫの送信(FDDでは、DL grantの受信から４サブフレーム後に送信される)に備えることができる。このようにして基地局からR-PDCCHを用いて送信された下り回線制御信号を、中継局は、基地局からhigher layer signalingによって指示されたリソース領域（つまり、「サーチスペース」）内でブラインド復号することにより、自局宛の下り回線制御信号を見つける。【０００９】
ここで、R-PDCCHに対応するサーチスペースは、上述の通り、higher layer signalingによって、基地局から中継局に通知される。R-PDCCHに対応するサーチスペースを通知する方法としては、（１）PRB（Physical Resource Block）ペアを１単位として通知する方法、及び、（２）RBG(Resource Block Group)を１単位として通知する方法の両方が考えられる。PRB（Physical Resource Block）ペアは、第１スロット及び第２スロットのPRBを合わせた集合を意味するのに対して、PRBは、第１スロット及び第２スロットのPRBのそれぞれを意味する。以下では、PRBペアを単にPRBと呼ぶことがある。また、リソースブロックグループ（RBG）とは、複数のPRBが纏めて割り当てられる場合に使用される単位である。また、RBGのサイズは、通信システムのバンド幅に基づいて定められている。【００１０】
また、R-PDCCHは、アグリゲーションレベルとしてレベル１、２、４、８の４つのレベルを有する（例えば、非特許文献１参照）。そして、レベル１、２、４、８は、６、６、２、２種類のマッピング候補位置をそれぞれ有する。ここで、マッピング候補位置とは、制御信号がマッピングされる領域の候補である。１つの端末に対して１つのアグリゲーションレベルが設定されると、そのアグリゲーションレベルが有する複数のマッピング候補位置の内の１つに、制御信号が実際にマッピングされる。図２は、R-PDCCHに対応するサーチスペースの一例を示す図である。各楕円は、各アグリゲーションレベルのサーチスペースを示している。各アグリゲーションレベルの各サーチスペースにおける複数のマッピング候補位置は、VRB(Virtual Resource Block)においては連続的に配置される。そして、VRBにおける各マッピング候補位置は、上位レイヤのシグナリングによって、PRB(Physical Resource Block)にマッピングされる。【００１１】
また、中継局向けR-PDCCH領域においてDL grantを基地局が送信し、中継局に対してRBG単位のPDSCHを割り当てる場合、任意のサブフレームにおいて、DL grantとPDSCHとが同一のRBGに配置されることがある。すなわち、図３における一番上のRBGに示すように、任意のRBGの領域（ａ）にDL grantがマッピングされた場合、そのDL grantによってその任意のサブフレームにおける領域（ｂ）及び（ｃ）がPDSCHに割り当てられる。RBGは、M（Mは２以上の自然数）個のPRBペアから構成される。ここで、領域（ａ）は、DL grantが配置される第１のPRB（つまり、「配置PRB」）ペア内の領域であって、PDCCH領域を除く第１スロット内の領域である。また、領域（ｂ）は、配置PRBペア内の第２スロットに属する領域であって、UL grantのサーチスペースに設定されている領域である。また、領域（ｃ）は、配置PRBペアを含むRBGを構成するM個のPRBペアの内、配置PRBペアを除くPRBペア内の領域であって、PDCCH領域を除く領域である。図３における一番上のRBGの横に示されているように、RBGにPDSCHの割り当てが行われる場合、DL grantには、そのRBGに対するリソース割当ビット値（RA bit）は１とされる。【００１２】
一方、任意のサブフレームにおいてDL grantとUL grantとが同一のRBGにマッピングされる場合、図３における真ん中のRBGに示すように、DL grantは、領域（ａ）にマッピングされ、UL grantは、領域（ｂ）にマッピングされる。そして、領域（ｂ）及び（ｃ）は、PDSCHに割り当てられない。このとき、DL grantに含まれるリソース割り当てビットの値は、ゼロとされる。従って、下り回線制御信号の受信側である端末は、自機宛のDL grantに含まれるRBGごとのリソース割り当てビットの値が０か１かによって、図３における一番上のRBGのようなリソース割り当てが行われているのか、又は、図３における真ん中のRBGのようなリソース割り当てが行われているかを認知することができる。【００１３】
なお、任意のサブフレームにおいてDL grantとUL grantとが同一のRBGにマッピングされる場合、図３の一番下のRBGに示すように、DL grantに含まれるこのRBGに対するリソース割り当てビットの値を１とすると、UL grantとPDSCHとが同一リソースに割り当てられることにより衝突してしまう。基地局は、この衝突を避けるために、UL grantをマッピングする場合、リソース割当ビットの値をゼロとする。
【先行技術文献】
【非特許文献】
【００１４】
【非特許文献１】3GPP TS36.216 V10.1.0, “Physical layer for relaying operation”
【発明の概要】
【発明が解決しようとする課題】
【００１５】
ところで、今後、Ｍ２Ｍ（Machine to Machine）通信等、様々な機器が無線通信端末として導入されることを考慮すると、端末数の増加によりPDCCHがマッピングされる領域（つまり、「PDCCH領域」）のリソース不足が懸念される。このリソース不足によってPDCCHがマッピングできなくなると、端末に対する下り回線データの割当が行えない。このため、下り回線データがマッピングされるリソース領域（つまり、「PDSCH（Physical Downlink Shared CHannel）領域」）が空いていても使用することができずに、システムスループットが低下してしまう恐れがある。このリソース不足を解消する方法として、基地局配下の端末に向けた制御信号を、前述のR-PDCCHがマッピングされるデータ領域（つまり、「端末向けR-PDCCH領域」）にも配置することが検討されている。このようにデータ領域に制御信号を配置することにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。【００１６】
また、端末向けR-PDCCHに対応するサーチスペースは、基地局から端末へ送信される制御信号がマッピングされる可能性の有るリソース領域である。さらに、R-PDCCHに対応するサーチスペースは、端末個別に設定される。【００１７】
この端末向けR-PDCCH領域においても、中継局向けR-PDCCH領域と同様に、DL grantを基地局が送信し、端末に対してRBG単位のPDSCHを割り当てる場合、任意のサブフレームにおいて、DL grantとPDSCHとが同一のRBGに配置されることがある。このようにDL grantとPDSCHとが同一のRBGに配置される場合、PDSCHのリソースとして領域（ａ）が除外され、領域（ｂ）及び（ｃ）がPDSCHのリソースとされる。【００１８】
このため、任意のサブフレームにおいてDL grantとPDSCHとが同一のRBGに配置される場合と、任意のサブフレームの任意のRBGにDL grant及びUL grantがマッピングされる場合とでは、PDSCHのためのリソース量が異なることになる。【００１９】
また、以上で説明した、DL grantによるPDSCHの割り当て方法によっては、任意のサブフレームの任意のRBGにDL grant及びUL grantがマッピングされる場合、その任意のRBGではPDSCHを割り当てることができない問題がある。【００２０】
本発明の目的は、双方向通信における第１通信方向の第１のデータリソースの第１の割り当て制御信号及び第２通信方向の第２のデータリソースの第２の割り当て制御信号が同じリソースブロックグループ内にマッピングされる場合でも、そのリソースブロックグループにおける第２の割り当て制御信号と第１のデータリソースにマッピングされた信号との衝突を回避しつつ、第１のデータリソースのリソース量を増加させることができる、送信装置、受信装置、送信方法、及び受信方法を提供することである。
【課題を解決するための手段】
【００２１】
本発明の一態様の送信装置は、受信装置に対する制御信号を、制御チャネル及びデータチャネルのいずれにも使用可能な第１のリソース領域又は制御チャネルに使用可能な第２のリソース領域にマッピングして送信し、送信データをデータリソース領域にマッピングして前記受信装置へ送信する送信装置であって、前記データリソース領域のための割り当て制御信号を生成する生成手段と、前記送信データの送信に用いられるストリームの数が１であり、且つ、前記送信データの送信に用いられるアンテナポートと前記割り当て制御信号の送信に用いられるアンテナポートとが同じ場合、Ｍ（Ｍは２以上の自然数）個のリソースブロック（ＲＢ）から構成されるリソースブロックグループ（ＲＢＧ）における前記第１のリソース領域内に第１のデータリソース領域を設定し、前記送信データの送信に用いられるストリームの数が１であり、且つ、前記送信データの送信に用いられるアンテナポートと前記割り当て制御信号の送信に用いられるアンテナポートとが異なる場合、前記ＲＢＧにおける前記第１のリソース領域内に前記第１のデータリソース領域よりも大きい第２のデータリソース領域を設定する設定手段と、前記設定されたデータリソース領域に前記送信データをマッピングし、制御リソース領域に前記割り当て制御信号をマッピングするマッピング手段と、を具備する。【００２２】
本発明の一態様の受信装置は、制御チャネル及びデータチャネルのいずれにも使用可能な第１のリソース領域又は制御チャネルに使用可能な第２のリソース領域において送信装置から送信された制御信号を含む受信信号を受信し、データリソース領域にマッピングされて前記送信装置から送信された送信データを受信する受信装置であって、前記受信信号に含まれる、前記データリソース領域のための割り当て制御信号を検出する検出手段と、前記送信データの送信に用いられたストリームの数が１であり、且つ、前記送信データの送信に用いられたアンテナポートと前記割り当て制御信号の送信に用いられたアンテナポートとが同じ場合、Ｍ（Ｍは２以上の自然数）個のリソースブロック（ＲＢ）から構成されるリソースブロックグループ（ＲＢＧ）における前記第１のリソース領域内の第１のデータリソース領域をデータ成分抽出対象領域として特定し、前記送信データの送信に用いられたストリームの数が１であり、且つ、前記送信データの送信に用いられたアンテナポートと前記割り当て制御信号の送信に用いられたアンテナポートとが異なる場合、前記第１のデータリソース領域よりも大きい、前記ＲＢＧにおける前記第１のリソース領域内の第２のデータリソース領域を前記データ成分抽出対象領域として特定する特定手段と、前記特定されたデータ成分抽出対象領域内の信号成分を前記受信信号から抽出する抽出手段と、を具備する。【００２３】
本発明の一態様の送信方法は、受信装置に対する制御信号を、制御チャネル及びデータチャネルのいずれにも使用可能な第１のリソース領域又は制御チャネルに使用可能な第２のリソース領域にマッピングして送信し、送信データをデータリソース領域にマッピングして前記受信装置へ送信する送信方法であって、前記データリソース領域のための割り当て制御信号を生成し、前記送信データの送信に用いられるストリームの数が１であり、且つ、前記送信データの送信に用いられるアンテナポートと前記割り当て制御信号の送信に用いられるアンテナポートとが同じ場合、Ｍ（Ｍは２以上の自然数）個のリソースブロック（ＲＢ）から構成されるリソースブロックグループ（ＲＢＧ）における前記第１のリソース領域内に第１のデータリソース領域を設定し、前記送信データの送信に用いられるストリームの数が１であり、且つ、前記送信データの送信に用いられるアンテナポートと前記割り当て制御信号の送信に用いられるアンテナポートとが異なる場合、前記ＲＢＧにおける前記第１のリソース領域内に前記第１のデータリソース領域よりも大きい第２のデータリソース領域を設定し、前記設定されたデータリソース領域に前記送信データをマッピングし、制御リソース領域に前記割り当て制御信号をマッピングする。【００２４】
本発明の一態様の受信方法は、制御チャネル及びデータチャネルのいずれにも使用可能な第１のリソース領域又は制御チャネルに使用可能な第２のリソース領域において送信装置から送信された制御信号を含む受信信号を受信し、データリソース領域にマッピングされて前記送信装置から送信された送信データを受信する受信方法であって、前記受信信号に含まれる、前記データリソース領域のための割り当て制御信号を検出し、前記送信データの送信に用いられたストリームの数が１であり、且つ、前記送信データの送信に用いられたアンテナポートと前記割り当て制御信号の送信に用いられたアンテナポートとが同じ場合、Ｍ（Ｍは２以上の自然数）個のリソースブロック（ＲＢ）から構成されるリソースブロックグループ（ＲＢＧ）における前記第１のリソース領域内の第１のデータリソース領域をデータ成分抽出対象領域として特定し、前記送信データの送信に用いられたストリームの数が１であり、且つ、前記送信データの送信に用いられたアンテナポートと前記割り当て制御信号の送信に用いられたアンテナポートとが異なる場合、前記第１のデータリソース領域よりも大きい、前記ＲＢＧにおける前記第１のリソース領域内の第２のデータリソース領域を前記データ成分抽出対象領域として特定し、前記特定されたデータ成分抽出対象領域内の信号成分を前記受信信号から抽出する。
【発明の効果】
【００２５】
本発明によれば、双方向通信における第１通信方向の第１のデータリソースの第１の割り当て制御信号及び第２通信方向の第２のデータリソースの第２の割り当て制御信号が同じリソースブロックグループ内にマッピングされる場合でも、そのリソースブロックグループにおける第２の割り当て制御信号と第１のデータリソースにマッピングされた信号との衝突を回避しつつ、第１のデータリソースのリソース量を増加させることができる、送信装置、受信装置、送信方法、及び受信方法を提供することができる。
【図面の簡単な説明】
【００２６】
【図１】LTEシステム及びLTE-Aシステムにおいて、制御信号及びデータを割り当てたフレームの一例を示す図
【図２】R-PDCCHに対応するサーチスペースの一例を示す図
【図３】中継局に対するデータリソース割り当て方法の説明に供する図
【図４】LTE-Aシステムの設定テーブルを示す図
【図５】本発明の実施の形態１に係る基地局の主要構成図
【図６】本発明の実施の形態１に係る端末の主要構成図
【図７】本発明の実施の形態１に係る基地局の構成を示すブロック図
【図８】使用マッピングリソースパターンの説明に供する図
【図９】本発明の実施の形態１に係る端末の構成を示すブロック図
【図１０】実施の形態２における送信制御部及び信号割り当て部の動作説明に供する図
【図１１】追加ビットによるデータリソース割り当て方法の説明に供する図
【図１２】実施の形態３における使用マッピングリソースパターンの説明に供する図
【図１３】実施の形態４における使用マッピングリソースパターンの説明に供する図
【図１４】DL grantによるPDSCHの割り当て方法１の説明に供する図
【図１５】DL grantによるPDSCHの割り当て方法２の説明に供する図
【図１６】DL grantによるPDSCHの割り当て方法３の説明に供する図
【図１７】DL grantによるPDSCHの割り当て方法４の説明に供する図
【図１８】DL grantによるPDSCHの割り当て方法５の説明に供する図
【図１９】DL grantによるPDSCHの割り当て方法６の説明に供する図
【図２０】DL grantによるPDSCHの割り当て方法７の説明に供する図
【発明を実施するための形態】
【００２７】
LTE-Aシステムにおいて、DM-RSの送信に用いられるアンテナポートは、DLデータ送信に用いられる１UE当たりのlayer数と、設定テーブル（図４参照）とに基づいて、定められている。DM-RS（Demodulation Reference signal）は、DLデータ（つまり、PDSCH）のチャネル推定に使用される。DLデータとDM-RSとは、同一のアンテナポートから送信される。これにより、DM-RSを使用したチャネル推定が可能となる。ここで、layerとは、MIMO通信を説明する場合に頻繁に用いられるストリームに相当する。
【００２８】
LTE-Aシステムにおいて、DL grantは、アンテナポート7から送信される。そして、図４を見てわかるように、DLデータ送信に用いられる１UE当たりのlayer数が１の場合、アンテナポート7又はアンテナポート8がDLデータ送信のために使用される。また、DLデータ送信に用いられる１UEあたりのlayer数が２以上の場合、アンテナポート7からアンテナポート番号が小さいポートから順に、layer数と同じ数のアンテナポートがDLデータ送信のために使用される。例えば、レイヤ数が４の場合、アンテナポート7,8,9,10が使用される。
【００２９】
すなわち、LTE-Aシステムにおいて、DL grantは、基準アンテナポートから送信される。DLデータ送信に用いられる１UE当たりのlayer数が１の場合、DLデータ送信のために使用されるアンテナポートとしては、基準アンテナポートと、第２のアンテナポートとがある。また、DLデータ送信に用いられる１UE当たりのlayer数が２の場合、基準アンテナポートから所定の順番で、layer数と同じ数のアンテナポートがDLデータ送信のために使用される。つまり、DLデータ送信に用いられる１UE当たりのlayer数が２の場合、基準アンテナポートは、DLデータ送信に必ず使用される。
【００３０】
本発明者らは、１つのUE向けのDLデータが、１つのlayerによって送信され、且つ、そのDLデータに割り当てられたリソースを示すDL grantがマッピングされるアンテナポートと異なるアンテナポートから送信される場合、データリソースの割り当てに自由度があることを見出した。
【００３１】
本発明者等は、この自由度に着目し、本発明をするに到った。
【００３２】
以下、本発明の実施の形態について図面を参照して詳細に説明する。なお、実施の形態において、同一の構成要素には同一の符号を付し、その説明は重複するので省略する。
【００３３】
［実施の形態１］
［通信システムの概要］
本発明の実施の形態１に係る通信システムは、送信装置と受信装置とを有する。特に、本発明の実施の形態では、送信装置を基地局１００とし、受信装置を端末２００として説明する。この通信システムは、例えば、LTE-Aシステムである。そして、基地局１００は、例えば、LTE-A基地局であり、端末２００は、例えば、LTE-A端末である。
【００３４】
図５は、本発明の実施の形態１に係る基地局１００の主要構成図である。基地局１００は、端末２００に対する制御信号を、制御チャネル及びデータチャネルのいずれにも使用可能な第１のリソース領域（ここでは、端末向けR-PDCCH）又は制御チャネルに使用可能な第２のリソース領域（ここでは、PDCCH）にマッピングして送信する。また、基地局１００は、送信データをデータリソース領域にマッピングして端末２００へ送信する。そして、送信制御部１０２は、送信データの送信に用いられるストリームの数及びアンテナポート、並びに、割り当て制御信号の送信に用いられるアンテナポートに基づいて、Ｍ（Ｍは２以上の自然数）個のリソースブロック（RB）から構成されるリソースブロックグループ（RBG）において、データリソース領域と割り当て制御信号をマッピングする制御リソース領域とを第１のリソース領域内に設定する。信号割り当て部１０６は、設定されたデータリソース領域に送信データをマッピングし、制御リソース領域に割り当て制御信号をマッピングする。
【００３５】
そして、送信制御部１０２は、送信データの送信に用いられるストリームの数が１であり、且つ、送信データの送信に用いられるアンテナポートと割り当て制御信号の送信に用いられるアンテナポートとが同じ場合、第１のデータリソース領域をRBGにおける第１のリソース領域内に設定する。また、送信制御部１０２は、送信データの送信に用いられるストリームの数が１であり、且つ、送信データの送信に用いられるアンテナポートと割り当て制御信号の送信に用いられるアンテナポートとが異なる場合、第２のデータリソース領域をRBGにおける第１のリソース領域内に設定する。
【００３６】
そして、第２のデータリソース領域は、第１のデータリソース領域よりも大きい。
【００３７】
図６は、本発明の実施の形態１に係る端末２００の主要構成図である。端末２００は、第１のリソース領域（ここでは、端末向けR-PDCCH）又は第２のリソース領域（ここでは、PDCCH）において基地局１００から送信された制御信号（ここでは、DL grant）を含む受信信号を受信する。また、端末２００は、データリソース領域にマッピングされて基地局１００から送信されたデータを受信する。そして、制御信号受信部２０５は、受信信号に含まれる、データリソース領域のための割り当て制御信号を検出する。そして、使用パターン特定部２１０は、検出された割り当て制御信号に含まれる、データの送信に用いられるストリームの数及びアンテナポート、並びに、割り当て制御信号の送信に用いられるアンテナポートに基づいて、割り当て制御信号が検出されたリソースブロック（RB）を含むＭ（Ｍは２以上の自然数）個のＲＢから構成されるリソースブロックグループ（RBG）における前記データリソース領域に対応するデータ成分抽出対象領域を特定する。そして、信号分離部２０２は、特定されたデータ成分抽出対象領域内の信号成分を受信信号から抽出する。
【００３８】
そして、使用パターン特定部２１０は、送信データの送信に用いられるストリームの数が１であり、且つ、送信データの送信に用いられるアンテナポートと割り当て制御信号の送信に用いられるアンテナポートとが同じ場合、第１のデータリソース領域をデータ成分抽出対象領域として特定する。また、使用パターン特定部２１０は、送信データの送信に用いられるストリームの数が１であり、且つ、送信データの送信に用いられるアンテナポートと割り当て制御信号の送信に用いられるアンテナポートとが異なる場合、第２のデータリソース領域をデータ成分抽出対象領域として特定する。
【００３９】
そして、第２のデータリソース領域は、第１のデータリソース領域よりも大きい。
【００４０】
［基地局１００の構成］
図７は、本発明の実施の形態１に係る基地局１００の構成を示すブロック図である。図７において、基地局１００は、アンテナポート決定部１０１と、送信制御部１０２と、制御信号生成部１０３と、誤り訂正符号化部１０４と、変調部１０５と、信号割り当て部１０６と、無線送信部１０７と、無線受信部１０８と、復調部１０９と、誤り訂正復号部１１０とを有する。
【００４１】
アンテナポート決定部１０１は、端末２００から送信された「報告情報」を入力とする。「報告情報」は、端末２００から送信された回線品質、スケジューリング要求又はバッファ状態報告等を含む。
【００４２】
そして、アンテナポート決定部１０１は、報告情報に基づいて、リソース割り当ての対象であるデータ信号の送信に使用するアンテナポート及びレイヤ数を決定する。決定された使用アンテナポート及び使用レイヤ数は、送信制御部１０２へ出力される。以下では、使用アンテナポート及び使用レイヤ数は、総称して「アンテナポート情報」と呼ばれることがある。
【００４３】
ここで、DL grantは、基準アンテナポートから送信される。使用レイヤ数が１の場合、使用アンテナポートは、基準アンテナポート又は第２のアンテナポートである。また、使用レイヤ数が２の場合、基準アンテナポートから所定の順番で、レイヤ数と同じ数のアンテナポートが使用アンテナポートとなる。つまり、使用レイヤ数が２の場合、基準アンテナポートは、必ず使用アンテナポートとなる。
【００４４】
送信制御部１０２は、送信すべきデータ信号が有る場合に、決定部１０１から出力されたアンテナポート情報を入力とする。そして、送信制御部１０２は、アンテナポート情報に基づいて、制御信号及びデータ信号の「使用マッピングリソースパターン」を決定し、決定されたマッピングリソースパターンに関する情報を信号割り当て部１０６へ出力する。
【００４５】
具体的には、使用レイヤ数が１であり且つ使用アンテナポートが基準アンテナポートである場合、送信制御部１０２は、領域（ｂ）及び（ｃ）のみをデータリソースとするマッピングパターン１（図８Ａ参照）に、使用マッピングリソースパターンを決定する。図８には、特に、RBGサイズMが２である場合の送信サブフレームが示されている。また、使用レイヤ数が１であり且つ使用アンテナポートが基準アンテナポート以外の第２のアンテナポートである場合、送信制御部１０２は、領域（ａ）、（ｂ）及び（ｃ）の全てをデータリソースとするマッピングリソースパターン２（図８Ｂ参照）に、使用マッピングリソースパターンを決定する。
【００４６】
また、送信制御部１０２は、アンテナポート情報を受け取ると、アンテナポート情報と共に、DL grant生成指示を制御信号生成部１０３へ出力する。また、送信制御部１０２は、入力される「報告情報」に上り回線データ信号のスケジューリング要求が含まれている場合には、UL grantをマッピングするリソースを決定しそのリソースに関する情報を信号割り当て部１０６へ出力すると共に、UL grant生成指示を制御信号生成部１０３へ出力する。
【００４７】
制御信号生成部１０３は、アンテナポート情報と共にDL grant生成指示を受け取ると、アンテナポート情報を含むDL grantを生成する。具体的には、制御信号生成部１０３は、アンテナポート情報と設定テーブルとに基づいて、アンテナポート情報に対応するビット値を特定し、このビット値を含むDL grantを生成する。こうして生成されたDL grantは、信号割り当て部１０６へ出力される。
【００４８】
また、制御信号生成部１０３は、UL grant生成指示を受け取ると、UL grantを生成し、信号割り当て部１０６へ出力する。
【００４９】
誤り訂正符号化部１０４は、送信データ信号を入力とし、入力された送信データ信号を誤り訂正符号化し、変調部１０５へ出力する。
【００５０】
変調部１０５は、誤り訂正符号化部１０４から受け取る信号に対して変調処理を施し、変調後の送信データ信号を信号割り当て部１０６へ出力する。
【００５１】
信号割り当て部１０６は、送信制御部１０２から受け取るマッピングリソースパターンに基づくリソースに、制御信号生成部１０３から受け取るDL grant及び変調部１０５から受け取る変調後の送信データ信号をマッピングする。また、信号割り当て部１０６は、送信制御部１０２から受け取るUL grantのマッピングリソースに関する情報が示すリソースに、制御信号生成部１０３から受け取るUL grantをマッピングする。このように送信データ信号及び制御信号が所定のリソースにマッピングされることにより、送信信号が生成される、この送信信号は、無線送信部１０７へ出力される。
【００５２】
無線送信部１０７は、入力信号に対してアップコンバート等の無線送信処理を施し、アンテナを介して送信する。
【００５３】
無線受信部１０８は、端末２００から送信された信号をアンテナを介して受信し、ダウンコンバート等の無線処理を施した後に復調部１０９へ出力する。
【００５４】
復調部１０９は、入力信号に対して復調処理を施し、得られた信号を誤り訂正復号部１１０へ出力する。
【００５５】
誤り訂正復号部１１０は、入力信号を復号し、端末２００からの報告情報及び受信データ信号を得る。得られた端末２００からの報告情報は、アンテナポート決定部１０１及び送信制御部１０２へ出力される。また、得られた受信データ信号は、後段の機能部へ出力される。
【００５６】
［端末２００の構成］
図９は、本発明の実施の形態１に係る端末２００の構成を示すブロック図である。図９において、端末２００は、無線受信部２０１と、信号分離部２０２と、復調部２０３と、誤り訂正復号部２０４と、制御信号受信部２０５と、誤り訂正符号化部２０６と、変調部２０７と、信号割り当て部２０８と、無線送信部２０９と、使用パターン特定部２１０とを有する。
【００５７】
無線受信部２０１は、基地局１００から送信された信号をアンテナを介して受信し、ダウンコンバート等の無線処理を施した後に信号分離部２０２へ出力する。
【００５８】
信号分離部２０２は、無線受信部２０１から受け取る受信信号を制御信号受信部２０５へ出力する。
【００５９】
また、信号分離部２０２は、制御信号受信部２０５から出力されたマッピングリソースパターンに関する情報が示すデータリソースに対応する信号成分（つまり、下り回線データ信号に対応する信号成分）を受信信号から抽出し、抽出された信号を復調部２０３へ出力する。
【００６０】
復調部２０３は、信号分離部２０２から出力された信号を復調し、当該復調された信号を誤り訂正復号部２０４へ出力する。
【００６１】
誤り訂正復号部２０４は、復調部２０３から出力された復調信号を復号し、得られた受信データ信号を出力する。
【００６２】
制御信号受信部２０５は、信号分離部２０２から受け取る受信信号からR-PDCCH領域に対応する信号成分を抽出し、当該抽出された信号成分に対してブラインド復号を行うことにより、自装置宛の制御信号（DL grant又はUL grant）を検出する。上述の通り、DL grantには、アンテナポート情報（具体的には、アンテナポート情報に対応するビット値）が含まれている。
【００６３】
また、制御信号受信部２０５は、検出されたUL grantを信号割り当て部２０８へ出力する。
【００６４】
使用パターン特定部２１０は、制御信号受信部２０５において検出されたDL grantに含まれるアンテナポート情報に基づいて使用マッピングリソースパターンを特定し、特定された使用マッピングリソースパターンに関する情報を信号分離部２０２へ出力する。この使用マッピングリソースパターンは、基地局１００において用いられたものと同じである。
【００６５】
誤り訂正符号化部２０６は、送信データ信号を入力とし、その送信データ信号を誤り訂正符号化し、変調部２０７へ出力する。
【００６６】
変調部２０７は、誤り訂正符号化部２０６から出力された信号を変調し、変調信号を信号割り当て部２０８へ出力する。
【００６７】
信号割り当て部２０８は、変調部２０７から出力された信号を、制御信号受信部２０５から受け取るUL grantに従ってマッピングし、無線送信部２０９へ出力する。
【００６８】
無線送信部２０９は、入力信号に対してアップコンバート等の無線送信処理を施し、アンテナを介して送信する。
【００６９】
［基地局１００及び端末２００の動作］
以上の構成を有する基地局１００及び端末２００の動作について説明する。
【００７０】
基地局１００において、送信制御部１０２は、アンテナポート情報に基づいて、制御信号及びデータ信号の使用マッピングリソースパターンを決定する。
【００７１】
具体的には、使用レイヤ数が１であり且つ使用アンテナポートが基準アンテナポートである場合、送信制御部１０２は、領域（ｂ）及び（ｃ）のみをデータリソースとするマッピングパターン１（図８Ａ参照）に、使用マッピングリソースパターンを決定する。決定されたマッピングリソースパターンに関する情報は、信号割り当て部１０６へ出力される。
【００７２】
また、使用レイヤ数が１であり且つ使用アンテナポートが基準アンテナポート以外の第２のアンテナポートである場合、送信制御部１０２は、領域（ａ）、（ｂ）及び（ｃ）の全てをデータリソースとするマッピングリソースパターン２（図８Ｂ参照）に、使用マッピングリソースパターンを決定する。
【００７３】
決定されたマッピングリソースパターンに関する情報は、信号割り当て部１０６へ出力される。
【００７４】
制御信号生成部１０３は、アンテナポート情報を含めたDL grantを生成し、信号割り当て部１０６へ出力する。
【００７５】
信号割り当て部１０６は、送信制御部１０２から受け取るマッピングリソースパターン１に基づくリソースに、制御信号生成部１０３から受け取るDL grant及び変調部１０５から受け取る変調後の送信データ信号をマッピングする。このように送信データ信号及び制御信号が所定のリソースにマッピングされることにより、送信信号が生成される。そして、この送信信号は、端末２００へ送信される。
【００７６】
端末２００において、制御信号受信部２０５は、信号分離部２０２から受け取る受信信号からR-PDCCH領域に対応する信号成分を抽出し、当該抽出された信号成分に対してブラインド復号を行うことにより、自装置宛の制御信号（DL grant又はUL grant）を検出する。
【００７７】
使用パターン特定部２１０は、制御信号受信部２０５において検出されたDL grantに含まれるアンテナポート情報に基づいて、使用マッピングリソースパターンを特定する。
【００７８】
具体的には、使用レイヤ数が１であり且つ使用アンテナポートが基準アンテナポートである場合、使用パターン特定部２１０は、領域（ｂ）及び（ｃ）のみをデータリソースとするマッピングパターン１を、使用マッピングリソースパターンとして特定する。
【００７９】
また、使用レイヤ数が１であり且つ使用アンテナポートが基準アンテナポート以外の第２のアンテナポートである場合、使用パターン特定部２１０は、領域（ａ）、（ｂ）及び（ｃ）の全てをデータリソースとするマッピングリソースパターン２を、使用マッピングリソースパターンとして特定する。
【００８０】
特定された使用マッピングリソースパターンに関する情報は、信号分離部２０２へ出力される。
【００８１】
信号分離部２０２は、制御信号受信部２０５から出力された使用マッピングリソースパターンに関する情報が示すデータリソースに対応する信号成分（つまり、下り回線データ信号に対応する信号成分）を受信信号から抽出し、抽出された信号を復調部２０３へ出力する。
【００８２】
なお、以上の説明では、基準アンテナポートとDL grantの送信に用いられるアンテナポートとが一致すること、及び、レイヤ数が２以上の場合には使用アンテナポートとして基準アンテナから順番にレイヤ数だけ用いられることを前提に説明したが、これに限定されるものではない。
【００８３】
以上のように本実施の形態によれば、基地局１００は、端末２００に対する制御信号を、制御チャネル及びデータチャネルのいずれにも使用可能な第１のリソース領域（ここでは、端末向けR-PDCCH）又は制御チャネルに使用可能な第２のリソース領域（ここでは、PDCCH）にマッピングして送信する。さらに、基地局１００は、送信データをデータリソース領域にマッピングして端末２００へ送信する。そして、送信制御部１０２は、Ｍ（Ｍは２以上の自然数）個のリソースブロック（RB）から構成されるリソースブロックグループ（RBG）において、データリソース領域と割り当て制御信号をマッピングする制御リソース領域とを第１のリソース領域内に設定する。送信制御部１０２は、この設定を、使用レイヤ数及び使用アンテナポート、並びに、データリソース領域のための割り当て制御信号（ここでは、DL grant）の送信に用いられるアンテナポートに基づいて行う。
【００８４】
そして、送信制御部１０２は、使用レイヤ数が１であり、且つ、使用アンテナポートと割り当て制御信号の送信に用いられるアンテナポートとが同じ場合、第１のデータリソース領域をRBGにおける第１のリソース領域内に設定する。また、送信制御部１０２は、使用レイヤ数が１であり、且つ、使用アンテナポートと割り当て制御信号の送信に用いられるアンテナポートとが異なる場合、第２のデータリソース領域をRBGにおける第１のリソース領域内に設定する。
【００８５】
そして、第２のデータリソース領域は、第１のデータリソース領域よりも大きい。
【００８６】
こうすることにより、使用レイヤ数が１であり、且つ、使用アンテナポートと割り当て制御信号の送信に用いられるアンテナポートとが同じ場合には、UL grantがマッピングされるリソースを回避して第１のデータリソース領域を設定できる。さらに、こうすることにより、使用レイヤ数が１であり、且つ、使用アンテナポートと割り当て制御信号の送信に用いられるアンテナポートとが異なる場合には、UL grantがマッピングされるリソースを含めた第２のデータリソース領域を設定できる。すなわち、DL grantとUL grantとが同じRBGにマッピングされる場合でも、UL grantと下り回線データとの衝突を回避することができる。また、第２のデータリソース領域を第１のデータリソース領域よりも大きくできる。すなわち、第２のデータリソース領域のリソース量を増加させることができる。
【００８７】
また、リソース量を増やす対象を第２のデータリソース領域に限定することにより、使用レイヤ数が２以上の場合に適用される、データリソース領域のリソース量はレイヤ間で等しいとする条件との整合を図ることができる。これにより、端末２００の受信回路が複雑化することを防止できる。
【００８８】
特に、実施の形態１においては、上述の通り、第２のデータリソース領域は、領域（ａ）、（ｂ）及び（ｃ）の全てを含む。すなわち、第２のデータリソース領域は、RBGにおける第１のリソース領域の全体である。
【００８９】
こうすることにより、制御信号がマッピングされた回線品質のよいRBGにデータリソース領域を設定できる。
【００９０】
［実施の形態２］
実施の形態２は、使用レイヤ数が２以上の場合の実施の形態である。実施の形態２に係る基地局及び端末は、実施の形態１に係る基地局１００及び端末２００と同様であるので、図７及び９を援用して説明する。
【００９１】
実施の形態２の基地局１００において、送信制御部１０２は、使用レイヤ数が２以上である場合、RBGにおける第１のリソース領域の全体に、データリソース領域を制御リソース領域と重ねて設定する。
【００９２】
信号割り当て部１０６は、使用レイヤ数が２以上である場合、データリソース領域において制御リソース領域と重なる部分に対応する送信データを、パンクチャリングした後にデータリソース領域において制御リソース領域と重ならない部分にマッピングする。この送信データは、DL grantの送信に用いられるアンテナポートと同じアンテナポートから送信されるストリームを構成する送信データである。
【００９３】
図１０は、実施の形態２における送信制御部１０２及び信号割り当て部１０６の動作説明に供する図である。
【００９４】
図１０Ａには、RBGの、基準アンテナポート（Port 7）に対応する第１のリソース領域における、割り当て制御信号のマッピング状況が示されている。図１０Ａにおいては、RBGにおける領域（ａ）にDL grantがマッピングされ、領域（ｂ）にUL grantがマッピングされている。
【００９５】
そして、図１０Ｂには、RBGの、基準アンテナポート（Port 7）に対応する第１のリソース領域における、データリソース領域の状況が示されている。また、図１０Ｃには、RBGの、基準アンテナポート（Port 7）以外のアンテナポート（Port 8）に対応する第１のリソース領域における、データリソース領域の状況が示されている。すなわち、図１０Ｂ及びＣの両方ともに、RBGの第２リソース領域の全体がデータリソース領域とされている。
【００９６】
図１０Ｄ及びＥは、信号割り当て部１０６によるパンクチャリング処理の説明に供する図である。図１０Ｄに示すように、DL grant及びUL grantの送信に用いられるアンテナポートと同じアンテナポートから送信されるストリームを構成する送信データであって、データリソース領域において制御リソース領域と重なる部分から送信される予定であった送信データが、パンクチャされる。すなわち、パンクチャリングされた場合と、パンクチャされなかった場合とで、実際に送信されるデータがマッピングされる位置(RE:resource element)は変わらない。
【００９７】
一方、図１０Ｄに示すように、DL grant及びUL grantの送信に用いられるアンテナポートと異なるアンテナポートから送信されるストリームを構成する送信データは、パンクチャされない。
【００９８】
以上のように本実施の形態によれば、基地局１００において、送信制御部１０２が、使用レイヤ数が２以上である場合、RBGにおける第１のリソース領域の全体に、データリソース領域を制御リソース領域と重ねて設定する。そして、信号割り当て部１０６は、使用レイヤ数が２以上である場合、データリソース領域において制御リソース領域と重なる部分に対応する送信データを、パンクチャリングした後にデータリソース領域において制御リソース領域と重ならない部分にマッピングする。この送信データは、DL grantの送信に用いられるアンテナポートと同じアンテナポートから送信されるストリームを構成する送信データである。
【００９９】
こうすることにより、使用レイヤ数が２以上の場合に適用される、データリソース領域のリソース量はレイヤ間で等しいとする条件を満たすことができる。また、パンクチャリングすることにより、データリソース領域において制御リソース領域と重なる部分に対応する送信データが実際には送信されないので、受信側の構成を変更する必要がない。
【０１００】
［実施の形態３］
実施の形態１及び２におけるリソース割当方法と異なるリソース割当方法として、DL grantに上記したリソース割り当てビット以外の追加ビット（１ビット）を付加し、DL grantが配置されるPRB pairの2nd slotをデータリソース領域に使用するか否かを通知する方法がある。すなわち、図１１に示すように、任意のRBGの領域（ａ）にDL grantがマッピングされた場合、この追加ビットによって、そのDL grantによって領域（ｂ）及び（ｃ）がPDSCHに割り当てられるか（図１１Ａ）、又は、領域（ｃ）のみを割り当てるか（図１１Ｂ）を通知することができる。
【０１０１】
しかしながら、DL grantに追加ビットを付加することは、追加ビットのビット数は小さいが、設計が変更されることによってテスト工数が増えるので、好ましくない。そこで、本実施の形態では、追加ビットの代わりに、使用アンテナポートが基地局から端末へ通知されることによって、領域（ｂ）をデータリソース領域とするか否かが通知される。
【０１０２】
実施の形態３に係る基地局及び端末は、実施の形態１に係る基地局１００及び端末２００と同様であるので、図７及び９を援用して説明する。
【０１０３】
実施の形態３の基地局１００において、送信制御部１０２は、リソース割り当てビット及びアンテナポート情報に基づいて、制御信号及びデータ信号の「使用マッピングリソースパターン」を決定し、決定されたマッピングリソースパターンに関する情報を信号割り当て部１０６へ出力する。
【０１０４】
具体的には、リソース割り当てビットの値が１であり、使用レイヤ数が１であり、且つ使用アンテナポートが基準アンテナポートである場合、送信制御部１０２は、領域（ｃ）のみをデータリソースとするマッピングパターン３（図１２Ａ参照）に、使用マッピングリソースパターンを決定する。図１２には、特に、RBGサイズMが２である場合の送信サブフレームが示されている。また、リソース割り当てビットが１であり、使用レイヤ数が１であり、且つ使用アンテナポートが基準アンテナポート以外の第２のアンテナポートである場合、送信制御部１０２は、領域（ａ）を除き領域（ｂ）及び（ｃ）をデータリソースとするマッピングリソースパターン４（図１２Ｂ参照）に、使用マッピングリソースパターンを決定する。
【０１０５】
また、リソース割り当てビットがゼロであり、使用レイヤ数が１であり、且つ使用アンテナポートが基準アンテナポート以外の第２のアンテナポートである場合、送信制御部１０２は、領域（ａ）及び（ｂ）を除き領域（ｃ）のみをデータリソースとするマッピングリソースパターン４（図１２Ｂ参照）に、使用マッピングリソースパターンを決定してもよい。
【０１０６】
なお、DL grantが配置されていないRBGにおいては、リソース割り当てビットの値がゼロであれば、そのRBGに対してデータリソース領域が割り当てられることはない。また、DL grantが配置されていないRBGにおいては、リソース割り当てビットの値が１であれば、そのRBGの第１のリソース領域の全体（つまり、領域（ａ）、（ｂ）及び（ｃ）の全て）がデータリソース領域とされる。
【０１０７】
実施の形態３の端末２００において、使用パターン特定部２１０は、制御信号受信部２０５において検出されたDL grantに含まれるアンテナポート情報及びリソース割り当てビットに基づいて使用マッピングリソースパターンを特定し、特定された使用マッピングリソースパターンに関する情報を信号分離部２０２へ出力する。この使用マッピングリソースパターンは、基地局１００において用いられたものと同じである。
【０１０８】
［実施の形態４］
実施の形態４では、上記したリソース割り当てビット以外の追加ビット（１ビット）を用いることにより、その追加ビットの値に応じて、使用レイヤ数が１であり且つ使用アンテナポートが基準アンテナポート以外の第２のアンテナポートである場合の使用マッピングリソースパターンが切り替えられる。
【０１０９】
実施の形態４に係る基地局及び端末は、実施の形態１に係る基地局１００及び端末２００と同様であるので、図７及び９を援用して説明する。
【０１１０】
実施の形態４の基地局１００において、送信制御部１０２は、リソース割り当てビット及びアンテナポート情報に基づいて、制御信号及びデータ信号の「使用マッピングリソースパターン」を決定し、決定されたマッピングリソースパターンに関する情報を信号割り当て部１０６へ出力する。
【０１１１】
具体的には、リソース割り当てビットが１であり、使用レイヤ数が１であり、使用アンテナポートが基準アンテナポート以外の第２のアンテナポートであり、且つ追加ビットの値が１である場合、送信制御部１０２は、領域（ａ）、領域（ｂ）及び（ｃ）の全てをデータリソースとするマッピングリソースパターン２（図１３Ａ参照）に、使用マッピングリソースパターンを決定する。図１３には、特に、RBGサイズMが２である場合の送信サブフレームが示されている。また、リソース割り当てビットが１であり、使用レイヤ数が１であり、使用アンテナポートが基準アンテナポート以外の第２のアンテナポートであり、且つ追加ビットの値がゼロである場合、送信制御部１０２は、領域（ｃ）のみをデータリソース領域とするマッピングリソースパターン５（図１３Ｂ参照）に、使用マッピングリソースパターンを決定する。
【０１１２】
また、リソース割り当てビットがゼロであり、使用レイヤ数が１であり、使用アンテナポートが基準アンテナポート以外の第２のアンテナポートであり、且つ追加ビットの値が１である場合、送信制御部１０２は、領域（ａ）及び領域（ｂ）をデータリソースとするマッピングリソースパターン６（図１３Ａ参照）に、使用マッピングリソースパターンを決定する。なお、リソース割り当てビットがゼロであり、使用レイヤ数が１であり、使用アンテナポートが基準アンテナポート以外の第２のアンテナポートであり、且つ追加ビットの値がゼロである場合、DL grantが配置されたRBGにはデータリソース領域が設けられない（図１３Ｂ参照）。
【０１１３】
以上のように、追加ビットに応じてマッピングリソースパターンを切り替えることにより、DL grantと送信データとが多重されるパターンと、多重されないパターンとを切り替えることができる。
【０１１４】
［他の実施の形態］
［１］実施の形態２において説明した技術は、実施の形態３又は４に対して適用できる。すなわち、DL grant及びUL grantの送信に用いられるアンテナポートと異なるアンテナポートから送信されるストリームを構成する送信データは、パンクチャされずに、実施の形態３又は４において説明したマッピングリソースパターンによって送信される。一方、DL grant及びUL grantの送信に用いられるアンテナポートと同じアンテナポートから送信されるストリームを構成する送信データであって、データリソース領域において制御リソース領域と重なる部分から送信される予定であった送信データが、パンクチャされる。
【０１１５】
［２］上記各実施の形態では、DL grantによるPDSCHの割り当て方法として、DL grantがマッピングされたRBG内のDL grantがマッピングされた領域（つまり、領域（ａ））以外の領域にPDSCHが割り当てられる割り当て方法が採用される場合について説明した。しかしながら、本発明はこれに限定されるものではなく、以下に説明する割り当て方法においても適用可能である。
【０１１６】
（１）DL grantによるPDSCHの割り当て方法１
図１４は、DL grantによるPDSCHの割り当て方法１の説明に供する図である。図１４Ａに示すように、RBGに対するリソース割り当てビットが１の場合、DL grantによって領域（ｂ）が明示的にデータリソース領域として割り当てられる。ただし、領域（ｃ）は、リソース割り当てビットの値に関わらず、暗示的にデータリソース領域として割り当てられる。また、RBGに対するリソース割り当てビットが０の場合、領域（ｃ）がデータリソース領域として割り当てられる。これにより、UL grantが有る場合でも、DL grantをマッピングしたRBGにPDSCHを割り当てることができる。
【０１１７】
このPDSCHの割り当て方法１と実施の形態１又は２とを組み合わせる場合、PDSCHのリソース領域に対して修正を加える必要が生じる場合がある。
【０１１８】
リソース割り当てビットが１の場合、図１４Ｂに示すように、PDSCHの割り当て方法１と実施の形態１又は２とは、リソース領域に対して修正を加えることなく、組み合わせることができる。
【０１１９】
これに対して、リソース割り当てビットが０の場合、図１４Ａと同様に、データリソース領域を領域（ｃ）としてもよいし、図８と同様に、DL grant及びUL grantが配置されたRBGには、データリソース領域を割り当てないことにしてもよい。
【０１２０】
（２）DL grantによるPDSCHの割り当て方法２
割り当て方法１と異なる点は、領域（ｃ）がデータリソースとされないことである（図１５Ａ参照）。
【０１２１】
このPDSCHの割り当て方法２と実施の形態１又は２とを組み合わせる場合、PDSCHのリソース領域に対して修正を加える必要が生じる場合がある。
【０１２２】
具体的には、リソース割り当てビットが１の場合、図１５Ｂに示すように、使用レイヤ数が１であり、且つ、使用アンテナポートと割り当て制御信号の送信に用いられるアンテナポートとが異なる場合、領域（ｃ）を除く領域（ａ）及び（ｂ）のみがデータリソース領域とされる。
【０１２３】
（３）DL grantによるPDSCHの割り当て方法３
DL grantによるPDSCHの割り当て方法１と異なる点は、リソース割り当てビットが１の場合、領域（ｃ）のみがデータリソースとされることである（図１６Ａ参照）。このPDSCHの割り当て方法３と実施の形態１又は２とを組み合わせる場合、特に修正が加えられる必要はない。すなわち、使用レイヤ数が１であり且つ使用アンテナポートが基準アンテナポート以外の第２のアンテナポートである場合、領域（ａ）、（ｂ）及び（ｃ）の全てがデータリソース領域とされる（図１６Ｂ参照）。
【０１２４】
（４）DL grantによるPDSCHの割り当て方法４
PDSCHの割り当て方法４では、領域（ｃ）が第１スロットの領域（ｃ−１）と、第２スロットの領域（ｃ−２）とに分けて扱われる。
【０１２５】
図１７は、DL grantによるPDSCHの割り当て方法４の説明に供する図である。図１７Ａに示すように、リソース割り当てビットが１の場合、DL grantによって領域（ｂ）及び（ｃ−２）がデータリソースとして割り当てられる、リソース割り当てビットが０の場合、DL grantによるPDSCHの割り当て方法２の場合と同様の扱いとなる、
【０１２６】
このPDSCHの割り当て方法４と実施の形態１又は２とを組み合わせる場合、特に修正が加えられる必要はない。すなわち、使用レイヤ数が１であり且つ使用アンテナポートが基準アンテナポート以外の第２のアンテナポートである場合、領域（ａ）、（ｂ）及び（ｃ）の全てがデータリソース領域とされる（図１７Ｂ参照）。
【０１２７】
（５）DL grantによるPDSCHの割り当て方法５
PDSCHの割り当て方法５では、図１６Ａに示すように、DL grantが隣接する複数のPRBに跨って配置される。従って、領域（ｂ）は、PRB単位の複数の部分領域に分けて扱われる。そして、UL grantは、その複数の部分領域の一部にマッピングされる。すなわち、PDSCHの割り当て方法５では、DL grantのサーチスペースとUL grantのサーチスペースとが異なっている。
【０１２８】
図１８は、DL grantによるPDSCHの割り当て方法５の説明に供する図である。リソース割り当てビットが１の場合、DL grantによってUL grantがマッピングされない領域（ｂ−２）及び（ｃ）がデータリソースとして割り当てられる（図１８Ａ参照）。また、リソース割り当てビットが０の場合、領域（ａ）、（ｂ）及び（ｃ）のすべてがデータリソースから除外される。
【０１２９】
このPDSCHの割り当て方法５と実施の形態１又は２とを組み合わせる場合、特に修正が加えられる必要はない。すなわち、使用レイヤ数が１であり且つ使用アンテナポートが基準アンテナポート以外の第２のアンテナポートである場合、RBGの第１のリソース領域の全体（つまり、領域（ａ）、（ｂ）及び（ｃ）の全て）がデータリソース領域とされる（図１８Ｂ参照）。
【０１３０】
［３］上記各実施の形態においては、DL grantは第１スロットにマッピングされ、UL grantは第２スロットにマッピングされる。すなわち、DL grantがマッピングされるリソースと、UL grantがマッピングされるリソースとは、時間軸で分割されている。しかしながら、本発明はこれに限定されるものではなく、DL grantがマッピングされるリソースと、UL grantがマッピングされるリソースとは、周波数軸（つまり、サブキャリア又はPRBペア）で分割されてもよい。
【０１３１】
（１）DL grantによるPDSCHの割り当て方法６
図１９は、PDSCHの割り当て方法６の説明に供する図である。図１９Ａに示すように、配置PRBを構成する複数のサブキャリアが２つのサブキャリアブロックに分割される。そして、その２つのサブキャリアブロックの内の１つが領域（ａ）に対応し、この領域（ａ）にDL grantがマッピングされる。また、その２つのサブキャリアブロックの内のもう１つのサブキャリアブロックが領域（ｂ）に対応し、この領域（ｂ）にUL grantがマッピングされる。
【０１３２】
このPDSCHの割り当て方法６においてリソース割り当てビットが１の場合、図１９Ａに示すように、領域（ｃ）がデータリソースとされる一方、リソース割り当てビットが０の場合、領域（ｃ）がデータリソースとされない。
【０１３３】
このPDSCHの割り当て方法６と実施の形態１又は２とを組み合わせる場合、特に修正が加えられる必要はない。すなわち、使用レイヤ数が１であり且つ使用アンテナポートが基準アンテナポート以外の第２のアンテナポートである場合、RBGの第１のリソース領域の全体（つまり、領域（ａ）、（ｂ）及び（ｃ）の全て）がデータリソース領域とされる（図１９Ｂ参照）。
【０１３４】
（２）DL grantによるPDSCHの割り当て方法７
図２０は、PDSCHの割り当て方法７の説明に供する図である。図２０Ａに示すように、１つのPRBペア内のPDCCH領域を除く領域（ａ）に、DL grantがマッピングされる。そして、このDL grantによって、他の２つのPRBペア内のPDCCH領域を除く領域（ｂ）及び（ｃ）がデータリソースとして割り当てられる。
【０１３５】
このPDSCHの割り当て方法７においてリソース割り当てビットが１の場合、図２０Ａに示すように、領域（ｂ）及び（ｃ）がデータリソースとされる一方、リソース割り当てビットが０の場合、領域（ｃ）はデータリソースとされない。
【０１３６】
このPDSCHの割り当て方法７に実施の形態１又は２を組み合わせる場合、特に修正が加えられる必要はない。すなわち、使用レイヤ数が１であり且つ使用アンテナポートが基準アンテナポート以外の第２のアンテナポートである場合、RBGの第１のリソース領域の全体（つまり、領域（ａ）、（ｂ）及び（ｃ）の全て）がデータリソース領域とされる（図２０Ｂ参照）。
【０１３７】
［４］上記各実施の形態では、本発明をハードウェアで構成する場合を例にとって説明したが、本発明はハードウェアとの連携においてソフトウェアでも実現することも可能である。
【０１３８】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）または、ＬＳＩ内部の回路セルの接続や設定を再構成可能なリコンフィギュラブル・プロセッサーを利用してもよい。
【０１４０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４１】
２０１１年４月２７日出願の特願２０１１−０９９４７３の日本出願に含まれる明細書、図面および要約書の開示内容は、すべて本願に援用される。
【産業上の利用可能性】
【０１４２】
本発明の送信装置、受信装置、送信方法、及び受信方法は、双方向通信における第１通信方向の第１のデータリソースの第１の割り当て制御信号及び第２通信方向の第２のデータリソースの第２の割り当て制御信号が同じリソースブロックグループ内にマッピングされる場合でも、そのリソースブロックグループにおける第２の割り当て制御信号と第１のデータリソースにマッピングされた信号との衝突を回避しつつ、第１のデータリソースのリソース量を増加させることができるものとして有用である。
【符号の説明】
【０１４３】
１００  基地局
１０１  アンテナポート決定部
１０２  送信制御部
１０３  制御信号生成部
１０４，２０６  誤り訂正符号化部
１０５，２０７  変調部
１０６，２０８  信号割り当て部
１０７，２０９  無線送信部
１０８，２０１  無線受信部
１０９，２０３  復調部
１１０，２０４  誤り訂正復号部
２００  端末
２０２  信号分離部
２０５  制御信号受信部
２１０  使用パターン特定部
【図１】
2012147295.tif 000003
【図２】
2012147295.tif 000004
【図３】
2012147295.tif 000005
【図４】
2012147295.tif 000006
【図５】
2012147295.tif 000007
【図６】
2012147295.tif 000008
【図７】
2012147295.tif 000009
【図８】
2012147295.tif 000010
【図９】
2012147295.tif 000011
【図１０】
2012147295.tif 000012
【図１１】
2012147295.tif 000013
【図１２】
2012147295.tif 000014
【図１３】
2012147295.tif 000015
【図１４】
2012147295.tif 000016
【図１５】
2012147295.tif 000017
【図１６】
2012147295.tif 000018
【図１７】
2012147295.tif 000019
【図１８】
2012147295.tif 000020
【図１９】
2012147295.tif 000021
【図２０】
2012147295.tif 000022
【国際調査報告】
2012147295.tif 000023
2012147295.tif 000024